Podtech/llm-jp-corpus-v4-ja_patent huggingface dataset:
【手続補正書】
【提出日】平成29年7月25日(2017.7.25)
【手続補正１】
【補正対象書類名】特許請求の範囲
【補正対象項目名】請求項１
【補正方法】変更
【補正の内容】
【請求項１】
ポリシロキサンでその表面が改質されたシリカ粒子であり、
ポリシロキサンは、下記化学式１で表される化合物と下記化学式２で表される化合物との混合物の重合物であって、側鎖にフェニル基を含むものである、表面改質複合シリカ。
［化学式１］
2017520662.tif 000001
［化学式２］
2017520662.tif 000002
（化学式１または化学式２中、Ｒは、それぞれ水酸基、ハロゲン原子、ハロゲン原子で置換された若しくは無置換の炭素数１〜６のアルコキシ基、及びこれらの組み合わせよりなる群から選択された同一または異なる１種である。また、前記Ｒ1は、ケイ素にベンゼン環の炭素が直接連結されている単結合、炭素数１〜８のアルキレン基、炭素数３〜１２のアルケニレン基、炭素数３〜１２のハロアルケニレン基、炭素数３〜８のアルキニレン基、およびこれらの組み合わせよりなる群から選択される１種である。また、化学式１中、前記Ｒ1は、炭素数２または４のアルコキシ基でありうる。）
【手続補正２】
【補正対象書類名】特許請求の範囲
【補正対象項目名】請求項６
【補正方法】変更
【補正の内容】
【請求項６】
ポリイミド樹脂及びシリカ粒子を含み、
シリカ粒子はポリシロキサンでその表面が改質された表面改質複合シリカ粒子であり、
ポリシロキサンは、前記化学式１で表される化合物と下記化学式２で表される化合物との混合物の重合物であって、側鎖にフェニル基を含むものである、ポリイミドフィルム。
［化学式１］
2017520662.tif 000003
［化学式２］
2017520662.tif 000004
（化学式１または化学式２中、Ｒは、それぞれ水酸基、ハロゲン原子、ハロゲン原子で置換された若しくは無置換の炭素数１〜６のアルコキシ基、及びこれらの組み合わせよりなる群から選択された同一または異なる１種である。また、前記Ｒ1は、ケイ素にベンゼン環の炭素が直接連結されている単結合、炭素数１〜８のアルキレン基、炭素数３〜１２のアルケニレン基、炭素数３〜１２のハロアルケニレン基、炭素数３〜８のアルキニレン基、およびこれらの組み合わせよりなる群から選択される１種である。また、化学式１中、前記Ｒ1は、炭素数２または４のアルコキシ基でありうる。）
【手続補正３】
【補正対象書類名】明細書
【補正対象項目名】００５６
【補正方法】変更
【補正の内容】
【００５６】
製造例１．シリカ粒子の製造
５００ｍｌのビーカーにエタノール３００ｇを添加し、ここにシラン物質であるテトラエトキシシラン（ｔｅｔｒａｅｔｈｏｘｙｓｉｌａｎｅ、ＴＥＯＳ、Ｓｉ（ＯＣ2Ｈ5）4、Ｓｉｇｍａ−Ａｌｄｒｉｃｈ）７ｇを添加して常温で３０分間攪拌した。次いで、前記反応器にＮＨ4ＯＨを２５ｇゆっくり添加した後、同じ温度で６時間撹拌を行った。反応完了の後、得られた反応物を濾過し、エタノール（５０ｍｌ）で３回洗浄した後、減圧下に４０℃のオーブンで５時間乾燥させて平均粒径０．２μｍのシリカ粒子［ＳｉＯ2］５ｇを製造した。
【手続補正４】
【補正対象書類名】明細書
【補正対象項目名】００７５
【補正方法】変更
【補正の内容】
【００７５】
比較例６
表面改質複合シリカ粒子の代わりに、比較例で使用されたフィラー（日本触媒製、ＫＥ−Ｐ１０、平均粒度０．１５μｍ）を入れた以外は、実施例５と同様にして１０μｍのポリアミド−イミドフィルムを得た。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
人間の皮膚の角質層の表面上に存在する細菌細胞の電気穿孔のための装置であって、
前記表面の近くに配置することができる電極、
前記角質層の表面から電極を離間させるスペーサー、
前記表面上に存在する細菌細胞を不活化するために、所定の電圧を制御し且つ該電圧を前記電極まで供給して、前記表面にてほぼ１０から５０ｋＶ／ｃｍ程度の強度を有する電場を生成するジェネレータ、
を含み、
使用中に、前記電場が前記角質層上に存在する細菌細胞を不活化するのに十分な強度を有することになり、同時に、前記電場は、前記角質層の下の表皮内の、又は、前記角質層と前記表皮との界面での生きている皮膚細胞に対して評価可能な効果を有するほど強くないように、前記電極は、前記電場の強度が、５から１５ミクロン、好ましくは５から１０ミクロンの深度にて３ｋＶ／ｃｍ以下まで前記表面から前記角質層内への浸透の深度の関数として減るように構成される、装置。
【請求項２】
前記電極は、少なくとも１つの正極及び少なくとも１つの負極を含み、前記正極及び負極は、同じ面にあり、さらに、所定の距離だけ互いから離間させて、５から１５ミクロン、好ましくは５から１０ミクロンの所定の浸透深度での前記電場の強度を制御する、請求項１に記載の装置。
【請求項３】
前記正極及び負極は、１０ミクロン以下の距離だけ互いから離間している、請求項２に記載の装置。
【請求項４】
８ミクロンの浸透深度にて３ｋＶ／ｃｍより低い電場強度を提供するために、前記電極は５ミクロンだけ離されている、請求項３に記載の装置。
【請求項５】
複数の正極及び負極を含み、前記正極は第１の面に配置され、さらに、前記負極は、前記第１の面に隣接した第２の面に配置されている、請求項１乃至４のいずれか一項に記載の装置。
【請求項６】
前記第１の面における電極及び前記第２の面における電極は、互いに一列に整列し、前記第１の面における電極及び第２の面における電極は、それぞれ１０ミクロン以下の距離だけ互いから離されている、請求項５に記載の装置。
【請求項７】
前記第１の面における電極及び前記第２の面における電極は、１つの面における電極が、他の面における一対の電極の間に位置するように、互いに相対的に並置されている、請求項５に記載の装置。
【請求項８】
単離要素が、異なる面における電極間に位置している、請求項７に記載の装置。
【請求項９】
前記電極には、鋭くされた縁が提供されている、請求項１乃至８のいずれか一項に記載の装置。
【請求項１０】
前記ジェネレータは、１０から１０００パルスのパルス電圧を前記電極に供給するように作動可能であり、各パルスは、１から１００マイクロ秒の持続時間を有し、又は、より好ましくは、それぞれ５０マイクロ秒のパルスを５０パルス有する、請求項１乃至９のいずれか一項に記載の装置。
【請求項１１】
前記電極は、球、円柱又は平らな要素の形の支持基板に取り付けられている、請求項１乃至１０のいずれか一項に記載の装置。
【請求項１２】
前記球又は円柱が、前記角質層の表面上を転がるように、ハウジングに回転可能に取り付けられている、請求項１１に記載の装置。
【請求項１３】
前記電極は、複数の電極のアレイを含み、少なくとも１つの電極のアレイが、少なくとも１つの他の電極のアレイとは異なる方向において延びて、異なる配向の電場を生成する、請求項１乃至１２のいずれか一項に記載の装置。
【請求項１４】
前記ジェネレータは、前記電極に電圧を供給して、前記角質層の表面上でほぼ２５から３５ｋＶ／ｃｍ程度の強度を有する電場を生成するように構成される、請求項１乃至１３のいずれか一項に記載の装置。
【請求項１５】
電圧の供給をもたらす前記ジェネレータの電圧駆動回路が、電流レベルを抑制して、その結果、神経の活性化を防ぐ電流制限器を含む、請求項１４に記載の装置。
【手続補正２】
【補正対象書類名】明細書
【補正対象項目名】０００８
【補正方法】変更
【補正の内容】
【０００８】
真皮の電気穿孔装置が、特許文献１から既知であり、主に、真皮組織まで薬物を送達することを目的とした電気穿孔の使用に関する。特許文献２も、皮膚を通じた電流の流れを制御するために電極が使用される経皮送達装置を開示している。
特許文献３は、角質層を切除するように構成された、経皮薬物送達及び分析物抽出のための装置を開示している。この開示による装置は、多数の電極を角質層に接触させている。
特許文献４は、細胞における膜透過処理を高める方法を開示している。この文献においては、電極は、細胞内イオンに生細胞を離れるようにし、さらに、（皮膚に近い）腫瘍細胞の死を引き起こさせる電磁場を生成することになるということが開示されている。
特許文献５は、電源に接続された２つの電極アセンブリを使用した経皮薬物送達のための装置及び方法を開示している。使用中、この文献による装置は、角質層内のポアを通る分子の移動を誘発することになる。
特許文献６は、経皮薬物送達のための装置を開示しており、この装置は、皮膚と接触して置かれた複数の電極を含む。
【手続補正３】
【補正対象書類名】明細書
【補正対象項目名】０００９
【補正方法】変更
【補正の内容】
【０００９】
【特許文献１】ＷＯ２０１３０６６４２７  Ａ
【特許文献２】ＵＳ２００７０６０８６２  Ａ２
【特許文献３】ＵＳ６，７１１，４３５  Ｂ２
【特許文献４】ＵＳ２０１３／０２６０４３５  Ａ１
【特許文献５】ＵＳ５，９６８，００６
【特許文献６】ＵＳ２００４／２３０２２７  Ａ１
【手続補正４】
【補正対象書類名】明細書
【補正対象項目名】００１５
【補正方法】変更
【補正の内容】
【００１５】
本発明によると、人間の皮膚の角質層の表面上に存在する細菌細胞の電気穿孔のための装置が提供され、当該装置は：
上記の表面の近くに配置することができる電極；
角質層の表面から電極を離間させるスペーサー；
上記の表面上に存在する細菌細胞を不活化するために、所定の電圧を制御し且つ該電圧を電極まで供給して、上記の表面にてほぼ１０から５０ｋＶ／ｃｍ程度の強度を有する電場を生成するジェネレータ；
を含み、
電極は、電場の強度が、５から１５ミクロン、好ましくは５から１０ミクロンの深度にて３ｋＶ／ｃｍ以下まで上記の表面から角質層内への浸透の深度の関数として減るように構成される。
【手続補正５】
【補正対象書類名】明細書
【補正対象項目名】００２３
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】変更
【補正の内容】
【００３０】
好ましい実施形態において、ジェネレータは、電極に電圧を供給して、角質層の表面上でほぼ２５から３５ｋＶ／ｃｍ程度の強度を有する電場を生成するように構成される。
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
内視鏡シャフト（２）を備えるビデオ内視鏡（１）であって、前記内視鏡シャフト（２）の遠位領域に光学アセンブリ（２６）が設けられ、前記アセンブリ（２６）は、前記アセンブリ（２６）用の取付部により前記内視鏡シャフト（２）内に取り付けられる、ビデオ内視鏡（１）において、
前記アセンブリ（２６）用の取付部は、少なくとも１つの可逆的に変形可能な屈曲型アクチュエータ（３０．１、３０．２、３０．３、３０．４）を有し、
前記少なくとも１つの屈曲型アクチュエータ（３０．１、３０．２、３０．３、３０．４）は、該少なくとも１つの屈曲型アクチュエータ（３０．１、３０．２、３０．３、３０．４）の動作中に前記アセンブリ（２６）を移動させるように設計されることを特徴とする、ビデオ内視鏡（１）。
【請求項２】
少なくとも１つの屈曲型アクチュエータ（３０．１、３０．２、３０．３、３０．４）は、前記内視鏡シャフト（２）の内壁と前記アセンブリ（２６）との間に配置されること、及び／又は、複数の屈曲型アクチュエータ（３０．１、３０．２、３０．３、３０．４）は、前記内視鏡シャフト（２）内において、前記内視鏡シャフト（２）の長手方向軸に対して対称的に、かつ／あるいは、均等に配置されること、を特徴とする、請求項１に記載のビデオ内視鏡（１）。
【請求項３】
２つ、又は３つ、又は４つの屈曲型アクチュエータ（３０．１、３０．２、３０．３、３０．４）が前記内視鏡シャフト（２）の内壁と前記アセンブリ（２６）との間に配置されることを特徴とする、請求項２に記載のビデオ内視鏡（１）。
【請求項４】
前記少なくとも１つの屈曲型アクチュエータ（３０．１、３０．２、３０．３、３０．４）は、その端において前記光学アセンブリ（２６）に接続され、前記屈曲型アクチュエータ（３０．１、３０．２、３０．３、３０．４）それぞれと前記アセンブリ（２６）との間に接着接点を形成することを特徴とする、請求項１又は２に記載のビデオ内視鏡（１）。
【請求項５】
前記少なくとも１つの屈曲型アクチュエータ（３０．１、３０．２、３０．３、３０．４）は、部分円の又は環状の取付体（２８）上に配置されることを特徴とする、請求項１〜４のいずれか一項に記載のビデオ内視鏡（１）。
【請求項６】
前記少なくとも１つの屈曲型アクチュエータ（３０．１、３０．２、３０．３、３０．４）は、平面状、及び／又は、板状、及び／又は、帯状の屈曲型アクチュエータ（３０．１、３０．２、３０．３、３０．４）として構成されることを特徴とする、請求項１〜５のいずれか一項に記載のビデオ内視鏡（１）。
【請求項７】
前記少なくとも１つの屈曲型アクチュエータ（３０．１、３０．２、３０．３、３０．４）は、圧電式の屈曲型アクチュエータ（３０．１、３０．２、３０．３、３０．４）として、又は、形状記憶合金若しくはバイメタル構成を備える屈曲型アクチュエータ（３０．１、３０．２、３０．３、３０．４）として構成されることを特徴とする、請求項１〜６のいずれか一項に記載のビデオ内視鏡（１）。
【請求項８】
前記少なくとも１つの屈曲型アクチュエータ（３０．１、３０．２、３０．３、３０．４）のために制御装置が設けられ、前記少なくとも１つの屈曲型アクチュエータ（３０．１、３０．２、３０．３、３０．４）は、前記制御装置により作動させられ得ることを特徴とする、請求項１〜７のいずれか一項に記載のビデオ内視鏡（１）。
【請求項９】
前記アセンブリ（２６）は、少なくとも１つのレンズ、及び／又は、プリズム、及び／又は、対物レンズ、を有する光学アセンブリ（２６）として構成されることを特徴とする、請求項１〜８のいずれか一項に記載のビデオ内視鏡（１）。
【請求項１０】
前記アセンブリ（２６）が、ＣＣＤセンサ又はＣＭＯＳセンサを有するイメージセンサユニットとして構成されることを特徴とする、請求項１〜８のいずれか一項に記載のビデオ内視鏡（１）。
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
フレーム構造体（２）と、
前記フレーム構造体（２）に支承された跳躍マット（３）と、
を備えているトランポリン（１）において、
複数のセンサ（８）からなるアレイが設けられており、
前記複数のセンサ（８）を用いて、前記跳躍マット（３）に作用する応力または加速度が検出され、
前記複数のセンサ（８）の信号が、評価ユニット（９）に読み込まれ、
前記信号の時間経過から出力量が生成され、
前記複数のセンサ（８）は、前記フレーム構造体（２）に配置されており、
前記フレーム構造体（２）は、前記跳躍マット（３）を収容するフレーム（４）と、前記フレーム（４）に接続された足部であって、下敷き上に設置するためのスタンド足部（５）の形態の足部と、を有し、
それぞれ１つのセンサ（８）は、前記スタンド足部（５）の底面に取り付けられており、それによって、前記フレーム構造体（２）は、完全に前記センサ（８）上に載置されている、
トランポリン（１）。
【請求項２】
前記複数のセンサ（８）は、前記トランポリン（１）の周方向に分散して配置されており、それによって前記複数のセンサ（８）の信号から、前記評価ユニット（９）において、位置に依存した出力量が、前記トランポリン（１）上で実施した跳躍に対して得られる、
請求項１に記載のトランポリン（１）。
【請求項３】
前記複数のセンサ（８）は、圧力センサまたは歪みゲージの形態の応力センサとして構成されている、
請求項１または２に記載のトランポリン（１）。
【請求項４】
前記評価ユニット（９）は、出力ユニット（１０）を有している、
請求項１乃至３いずれか１項に記載のトランポリン（１）。
【請求項５】
体操選手が跳躍を実施している使用時間の間に、前記実施している跳躍に対する特性量として、出力量が継続的に生成される、
請求項１乃至４いずれか１項に記載のトランポリン（１）。
【請求項６】
前記出力量は、前記使用時間の間に継続的に表示ユニットに表示される、
請求項５に記載のトランポリン（１）。
【請求項７】
前記複数のセンサ（８）の現在特定されたセンサ信号が基準値に関連付けられる、
請求項１乃至６いずれか１項に記載のトランポリン（１）。
【請求項８】
前記評価ユニット（９）において、出力量として、前記跳躍マット（３）上で跳躍を実施する人の位置が特定される、
請求項１乃至７いずれか１項に記載のトランポリン（１）。
【請求項９】
前記評価ユニット（９）において、出力量として、前記跳躍マット（３）上で跳躍を実施する体操選手の跳躍時間および／または高さが特定される、
請求項１乃至８いずれか１項に記載のトランポリン（１）。
【請求項１０】
少なくとも１つのトランポリン（１）上で実施される跳躍のコントロールのための方法であって、
前記トランポリン（１）は、フレーム構造体（２）と前記フレーム構造体（２）に支承された跳躍マット（３）とを備えている方法において、
複数のセンサ（８）からなるアレイを用いて、前記跳躍マット（３）に作用する応力または加速度が検出され、
前記複数のセンサ（８）の信号は、評価ユニット（９）に読み込まれ、
前記信号の時間経過から出力量が生成され、
前記複数のセンサ（８）は、前記フレーム構造体（２）に配置されており、
前記フレーム構造体（２）は、前記跳躍マット（３）を収容するフレーム（４）と、前記フレーム（４）に接続された足部であって、下敷き上に設置するためのスタンド足部（５）の形態の足部と、を有し、
前記スタンド足部（５）の底面にそれぞれ１つのセンサ（８）が取り付けられており、それによって、前記フレーム構造体（２）は、完全に前記センサ（８）上に載置されている、
方法。
【請求項１１】
前記方法は、競技分野、トレーニング制御分野、余興分野もしくは余暇分野において使用され、または、前記トランポリン（１）の品質コントロールのために使用される、
請求項１０に記載の方法。
【請求項１２】
前記評価ユニット（９）において、様々な前記トランポリン（１）における複数のセンサ（８）のセンサ信号が並列処理で評価される、
請求項１０または１１に記載の方法。
【手続補正２】
【補正対象書類名】明細書
【補正対象項目名】０００３
【補正方法】変更
【補正の内容】
【０００３】
競技分野で使用される場合、選手がトランポリン上で実施した跳躍が、競技審査員によって公知の方法で評価される。この場合の重要な評価基準は、選手が跳躍したときの飛行（跳躍）時間であり、すなわち、選手がトランポリン上で跳躍したときに、このトランポリンから持ち上げられてどのくらい長く空中に留まっていたかを、正確にかつ客観的に特定しなければならない。この飛行時間の特定は、競技審査員によって不正確にしか評価することができない。飛行時間に対する信頼性の高い値を得るために、光電子遮断柵（ライトバリア）を、測定システムとして使用することが公知であり、これは跳躍マット平面の下方に設置される。この光電子遮断柵の機能形態は次のようなものである。すなわち、トランポリンを使用していないか、または、各選手がトランポリン上で跳躍したときにちょうど跳躍マットによって持ち上げられている場合には、そのビームパスは遮断されない。それに対して、このビームパスは、選手が跳躍マット上に着地し、それによって下方に向かって凹み、その結果ビームパス内に到達した場合には遮断される。
【手続補正３】
【補正対象書類名】明細書
【補正対象項目名】００４１
【補正方法】変更
【補正の内容】
【００４１】
トランポリン１には測定システムが存在している。この測定システムは、本実施形態のケースでは、歪みゲージ等がセンサ素子として一体化された応力測定プレートとして構成されている、複数のセンサ８からなるアレイを含む。図１から明らかなように、それぞれ１つのセンサ８は、そのスタンド足部５の底面に取り付けられており、それによってフレーム構造体２は、完全にこれらのセンサ８上に載置されている。これらのセンサ８は、同一に構成され、図示されていないリード線路を介して中央評価ユニット９に接続されている。この評価ユニット９には、出力ユニット１０が接続されている。最も簡単なケースでは、評価ユニット９は、パーソナルコンピュータ、ラップトップコンピュータまたはタブレットコンピュータなどの計算ユニットからなり、それらの端末が出力ユニット１０を形成している。一般に、非接触で動作するデータ伝送路がこれらのセンサ８と評価ユニット９との間に設けられていてもよい。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
患者の血清サンプル中に存在する、肝臓癌の存在を示す複数の腫瘍バイオマーカーに対する自己抗体を検出及び定量する方法であって、
腫瘍細胞を正常細胞と比較して、前記癌に特異的な複数のバイオマーカーとして腫瘍細胞に固有であるが正常細胞では固有ではないタンパク質セットを評価する工程；
対になる患者生検サンプルの当該タンパク質セットを、二次元又は質量分析系技術を用いることによって識別する工程；
肝臓癌の存在を示すタンパク質セットを検証する工程、
を含み、
当該タンパク質セットは、cDNAクローンから発現され、精製され、さらに種々の放射波長を有する蛍光微小球ビーズに結合させてタンパク質-ビーズ結合物が形成されており、
患者の血清に存在する当該タンパク質セットに対する自己抗体が当該タンパク質-ビーズ結合物と免疫学的に結合する、
前記方法。
【請求項２】
自己抗体を続いてPE-結合二次抗体と相互反応させ、微小球ビーズに特異的な蛍光シグナルが当該タンパク質-ビーズ結合物のための識別因子として機能する、請求項１に記載の方法。
【請求項３】
複合体のPE-結合二次抗体によって提供される蛍光強度を測定して、自己抗体の検出及び定量を可能にする、請求項２に記載の方法。
【請求項４】
患者と健康な対象者との間で血清を比較して、該当するバイオマーカーに対する自己抗体のレベルを決定する工程をさらに含む、請求項１に記載の方法。
【請求項５】
種々の病期の種々の患者から入手した種々の血清を比較して、シグネチャーパターンを作製する工程をさらに含む、請求項１に記載の方法。
【請求項６】
タンパク質セットが配列番号:1から15のアミノ酸配列の少なくとも1つを含む、請求項１に記載の方法。
【請求項７】
複数の腫瘍マーカーが、Bmi1、VCC1、SUMO-4、RhoA、TXN、ET-1、UBE2C、HDGF2、FGF21、LECT2、SOD1、STMN4、ミッドカイン、IL-17A及びIL26の少なくとも１つを含む、請求項１に記載の方法。
【請求項８】
腫瘍細胞が肝細胞癌（HCC）腫に由来する細胞を含む、請求項１に記載の方法。
【請求項９】
蛍光微小球ビーズの各々が、ある特異的腫瘍バイオマーカーの存在と対応するタンパク質の各々に特異的な固有の蛍光放射波長を有し、一方、当該特異的腫瘍バイオマーカーのためのタンパク質の各々のタンパク質-ビーズ結合物と結合したPE-結合二次抗体から発生するPEシグナルが患者血清中に産生された自己抗体の存在の指標であり、さらにPEシグナルの蛍光強度が当該特異的腫瘍マーカーの豊富さと比例する、請求項１に記載の方法。
【請求項１０】
自己抗体に存在する当該腫瘍バイオマーカーの各々が約0.15ng/mLの低さで存在する、請求項１に記載の方法。
【請求項１１】
複数の腫瘍バイオマーカーに対する患者の自己抗体を検出及び定量することによって肝臓癌を診断及び病期決定するためのキットであって、cDNAクローンから発現され、精製され、さらに種々の放射波長を有する蛍光微小球ビーズと結合されてタンパク質-ビーズ結合物を形成したタンパク質セットを含み、当該タンパク質-ビーズ結合体が当該自己抗体と免疫学的に結合し、続いてPE-結合二次抗体の標的になって蛍光シグナル及び強度が測定され、正常対象者と比較した患者の自己抗体レベルが決定される、前記キット。
【請求項１２】
タンパク質セットが配列番号:1から15のアミノ酸配列の少なくとも1つを含む、請求項１１に記載のキット。
【請求項１３】
腫瘍バイオマーカーが、Bmi1、VCC1、SUMO-4、RhoA、TXN、ET-1、UBE2C、HDGF2、FGF21、LECT2、SOD1、STMN4、ミッドカイン、IL-17A及びIL26の少なくとも１つを含む、請求項１１に記載のキット。
【請求項１４】
cDNAクローンの各々が、自己抗体と免疫学的に結合して続いてPE-結合二次抗体の標的になるタンパク質-ビーズ結合体を形成するために、種々の放射波長を有する蛍光微小球ビーズと結合させるための、コンピテント細胞で発現されるタンパク質に対応するcDNA挿入物を含むHisタグ付きプラスミドを含む、請求項１１に記載のキット。
【請求項１５】
個々に固有の蛍光を提供する種々の蛍光微小球ビーズの多重混合物をすでに述べたように発現させ精製したタンパク質セットと結合させて、タンパク質-ビーズ結合体を形成し、さらに前記タンパク質-ビーズ結合体を容器のウェルに予めロードし、各ウェルに自己抗体を含む患者の血清をロードし、当該タンパク質-ビーズ結合体と相互作用させ、続いてPE-結合二次抗体を添加して当該自己抗体と結合させ、続いて一切の過剰な二次抗体を洗い流し、タンパク質-ビーズ結合体及び連なった抗体を含む複合体が個々に測定され、当該タンパク質-ビーズ結合体の固有の蛍光シグナルにより特異的な腫瘍バイオマーカーの存在が明らかにされ、一方、当該複合体の二次抗体由来のPEシグナルにより自己抗体の存在及び患者血清中の前記腫瘍バイオマーカーの相対的濃度が示される、請求項１１に記載のキット。
【請求項１６】
自己抗体に存在する腫瘍バイオマーカーの各々が約0.15ng/mLの低さで存在する、請求項１１に記載のキット。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
基板と、
前記基板から延びる格子状の複数の拡散ラインであり、格子に含まれる前記複数の拡散ラインのうちの少なくとも３つはそれらの間に一貫する間隔を有する、複数の拡散ラインと、
それらの間に一貫する間隔を有する格子に含まれる前記３つの拡散ライン上に少なくとも一部が形成される２つの隣接セルを含む複数の機能セルのアレイであり、各セルは、境界を有し、前記２つの隣接セルの前記境界の間には拡散ラインはなく、それにより、前記複数の隣接セルのうちの１つは、前記少なくとも３つの拡散ラインのうちの２つを含み、前記複数の隣接セルのうちのほかは、前記少なくとも３つの拡散ラインのうちの１又は複数を含む、複数の機能セルのアレイと、
を備え、
前記アレイ内の前記２つの隣接セルの前記境界の間の距離は５０ｎｍより小さい、
集積回路。
【請求項２】
前記基板は、シリコン（Ｓｉ）及びゲルマニウム（Ｇｅ）のうちの少なくとも一方を含む、請求項１に記載の集積回路。
【請求項３】
前記アレイ内の前記２つの隣接セルの前記境界の間の前記距離は２０ｎｍより小さい、請求項１に記載の集積回路。
【請求項４】
前記複数の機能セルは、複数のゲートアレイ論理セル及び複数のメモリビットセルのうちの少なくとも一方を含む、請求項１に記載の集積回路。
【請求項５】
前記２つの隣接する機能セルは、それらの間に一貫する間隔を有する前記複数の拡散ラインのうちの少なくとも３つを含む格子状の複数の拡散ライン及び複数のゲートライン上に形成される、請求項１に記載の集積回路。
【請求項６】
前記２つの隣接セルに含まれる前記複数のゲートラインは、更に、それらの間に一貫する間隔を有し、
前記２つの隣接セルの前記境界の間にはゲートラインは存在しない、請求項５に記載の集積回路。
【請求項７】
複数の機能セルの前記アレイは、前記複数の機能セルの複数の前記境界を形成すべく１９３ｎｍフォトリソグラフィを使用して形成され得る最も高い密度の実効構造より１０パーセントから５０パーセント高密度である、請求項１に記載の集積回路。
【請求項８】
請求項１から７の何れか一項に記載の集積回路を備える、フィールドプログラマブルゲートアレイ（ＦＰＧＡ）デバイス。
【請求項９】
請求項１から７の何れか一項に記載の集積回路を備える、スタティックランダムアクセスメモリ（ＳＲＡＭ）デバイス。
【請求項１０】
請求項１から７の何れか一項に記載の集積回路を備える、コンピューティングシステム。
【請求項１１】
基板を設ける段階と、
複数の拡散ラインを形成する段階と、
複数のゲートラインを形成する段階であって、前記複数の拡散ラインと前記複数のゲートラインは格子状構造で形成される、段階と、
前記格子状構造上にレジストを形成する段階と、
サブ１００ｎｍクリティカルディメンジョンを有する複数のレジストフィーチャを実現でき、１又は０個のマスクを必要とするリソグラフィプロセスを使用して複数の機能セルの境界を形成すべく前記レジストをパターニングする段階であって、前記複数の機能セルはアレイ内に配置される、段階と、
パターンを前記格子状構造の中にエッチングする段階と、
を備える集積回路を形成する方法。
【請求項１２】
前記複数の機能セルは、複数のゲートアレイ論理セル及び複数のメモリビットセルのうちの少なくとも一方を含む、請求項１１に記載の方法。
【請求項１３】
前記リソグラフィプロセスは電子ビームリソグラフィである、請求項１１に記載の方法。
【請求項１４】
前記電子ビームリソグラフィはマルチビームを含む、請求項１３に記載の方法。
【請求項１５】
前記リソグラフィプロセスはマスクレスである、請求項１１に記載の方法。
【請求項１６】
前記リソグラフィプロセスは極端紫外線リソグラフィ（ＥＵＶＬ）である、請求項１１に記載の方法。
【請求項１７】
前記リソグラフィプロセスはナノインプリントリソグラフィである、請求項１１に記載の方法。
【請求項１８】
前記リソグラフィプロセスは、サブ３０ｎｍクリティカルディメンジョンを有する複数のレジストフィーチャを実現できる、請求項１１から１７の何れか一項に記載の方法。
【請求項１９】
前記リソグラフィプロセスは、サブ１０ｎｍクリティカルディメンジョンを有する複数のレジストフィーチャを実現できる、請求項１１から１７の何れか一項に記載の方法。
【請求項２０】
基板を設ける段階と、
前記基板上にレジストを形成する段階と、
複数の機能セルの境界を形成すべくリソグラフィプロセスを使用して前記レジストをパターニングする段階であって、２つの隣接セルの前記境界の間の距離は５０ｎｍより小さい、段階と、
パターンを前記基板の中にエッチングする段階と、
を備える、複数の機能セルのアレイを形成する方法。
【請求項２１】
前記複数の機能セルは、複数のゲートアレイ論理セル及び複数のメモリビットセルのうちの少なくとも一方を含む、請求項２０に記載の方法。
【請求項２２】
前記リソグラフィプロセスは電子ビームリソグラフィである、請求項２０に記載の方法。
【請求項２３】
前記電子ビームリソグラフィはマルチビームを含む、請求項２２に記載の方法。
【請求項２４】
前記リソグラフィプロセスはマスクレスである、請求項２０から２３の何れか一項に記載の方法。
【請求項２５】
前記リソグラフィプロセスは極端紫外線リソグラフィ（ＥＵＶＬ）である、請求項２０に記載の方法。
【手続補正書】
【提出日】平成29年11月17日(2017.11.17)
【手続補正１】
【補正対象書類名】明細書
【補正対象項目名】００１６
【補正方法】変更
【補正の内容】
【００１６】
図４Ａおよび４Ｂは、１つの例示的実施形態に従う伝送線路ビア４０１を有するＰＣＢの部分４０２を示す。図４Ａは、伝送線路ビア４０１の上面図を示し、図４Ｂは、４Ｂ−４Ｂ線に沿った断面図を示す。図２Ａおよび２Ｂの要素と同じまたは同様である図４Ａおよび４Ｂの要素には、同じ参照符号が付される。図４Ａおよび４Ｂを同時に参照して、伝送線路ビア４０１は、ビア４０１内にその長手軸に沿って積層された複数のサブ構造４０６を含む。サブ構造４０６の各々は、ビア４０１の長手軸に沿って延びる中心導体部４１０と、中心導体部４１０の周りに配置される外側導体部４１２とを含む。サブ構造４０６の各々は、中心導体部４１０を支持し、かつ、中心導体部４１０を外側導体部４１２から分離する少なくとも１つの誘電体支持部材２１０を含む。誘電体支持部材２１０は、上述のように構成されることができる。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
1本鎖DNAに結合可能な少なくとも1のタンパク質の存在下で、試料中の標的核酸配列を検出するための方法であって、該方法が、蛍光色素分子と、クエンチャーと、前記標的核酸配列に相補的な領域とを含む少なくとも1のオリゴヌクレオチドプローブに前記試料を接触させることを含み、前記オリゴヌクレオチドプローブの配列が、少なくとも20%の、RNAヌクレオチド、修飾RNAヌクレオチド及び/又はPNAヌクレオチドを含む、方法。
【請求項２】
前記標的核酸配列の増幅を含み、所望により、等温条件下で前記標的核酸配列の増幅を促進することを含む、請求項1に記載の方法。
【請求項３】
少なくとも1の上流プライマー及び少なくとも1の下流プライマーであって、前記標的核酸配列に相補的な領域をそれぞれ含む該上流プライマー及び該下流プライマーと、前記試料を接触させることを含む、請求項1又は2に記載の方法。
【請求項４】
前記標的核酸配列に相補的な領域を含む鎖侵入オリゴヌクレオチドと、前記試料を接触させることを含む、先行する請求項のいずれか1項に記載の方法。
【請求項５】
前記オリゴヌクレオチドプローブが、前記標的核酸配列の増幅の出発物質となることが可能であり、かつ、前記少なくとも1の上流又は下流プライマーとして作用する、請求項3又は4に記載の方法。
【請求項６】
1本鎖DNAに結合可能な前記タンパク質が、リコンビナーゼ又はリコンビナーゼアクセサリータンパク質もしくはリコンビナーゼコファクタータンパク質である、先行する請求項のいずれか1項に記載の方法。
【請求項７】
前記リコンビナーゼは、UvsX又はRecAから選択され、あるいは前記リコンビナーゼアクセサリータンパク質が、UvsY又はgp32から選択される、請求項6に記載の方法。
【請求項８】
前記オリゴヌクレオチドプローブに存在する前記修飾RNAヌクレオチドが、少なくとも1の、2’-フルオロリボヌクレオチド、2’-O-メチルリボヌクレオチド又はLNAリボヌクレオチドを含む、先行する請求項のいずれか1項に記載の方法。
【請求項９】
前記試料をRNase Hと接触させることを含む、先行する請求項のいずれか1項に記載の方法。
【請求項１０】
前記オリゴヌクレオチドプローブが、配列番号24、25又は30の配列あるいはそのいずれかのバリアントを含む、先行する請求項のいずれか1項に記載の方法。
【請求項１１】
オリゴヌクレオチドプローブを含むキットであって、該オリゴヌクレオチドプローブが、蛍光色素分子と、クエンチャーと、標的核酸配列に相補的な領域とを含み、前記オリゴヌクレオチドプローブの配列が、少なくとも20%の、RNAヌクレオチド、修飾RNAヌクレオチド及び/又はPNAヌクレオチドを含み、かつ加えて、前記オリゴヌクレオチドプローブの前記配列が、
(i)前記標的核酸配列に相補的な領域を含む鎖侵入オリゴヌクレオチド;及び/又は
(ii) 1本鎖DNAに結合可能な少なくとも1のタンパク質
を含む、キット。
【請求項１２】
(i)前記キットが、前記標的核酸配列に相補的な領域を含む上流及び/又は下流プライマーを更に含み、又は(ii)前記オリゴヌクレオチドプローブが、前記標的核酸配列の増幅の出発物質となることが可能であり、かつ、前記上流プライマー又は前記下流プライマーとして作用する、請求項11に記載のキット。
【請求項１３】
被験体からの試料において請求項1〜12のいずれか1項に規定された方法を実行して、疾患と関連している標的核酸配列を検出することを含む、被験体における前記疾患の診断方法。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
空気駆動式歯間清掃機器であって、
ハンドル部と伸びたネックとを持つノズルとを有する機器本体であって、前記ノズルは、前記ノズルの遠位端において出口開口を具備し、歯間空間にフィットする形状のノズル先端を持つ、前記機器本体と、
制御部材を介してユーザによって前記空気駆動式歯間清掃機器が連続的に活性化されることに応じて、空気のバースト、又は、空気／液体の混合物のバーストを供給する空気源と、
前記ノズル先端におけるチャネル内に支持される、少なくとも１つの完全な回転を持つ硬い螺旋部材であって、前記螺旋部材は、前記チャネルを通じて空気又は空気／液体の混合物が移動される場合に自由に回転し、前記螺旋部材は、先端に取付けられた毛のセットを持ち、前記毛のセットは、空気又は空気／液体の混合物が前記チャネルを通じて移動され、前記ノズル先端の前記出口開口から出て、歯間表面を清掃するために前記毛のセットが回転されることに応じて、前記螺旋部材の回転とともに回転する、前記螺旋部材と、
を有する、空気駆動式歯間清掃機器。
【請求項２】
前記空気／液体のバーストが、スプレー又はジェットを有する、請求項１記載の空気駆動式歯間清掃機器。
【請求項３】
前記螺旋部材が、１回転乃至５回転を有する、請求項１記載の空気駆動式歯間清掃機器。
【請求項４】
前記ノズル先端における前記チャネル内の空気流、及び、前記出口開口を出る空気流が、乱空気流を有する、請求項１記載の空気駆動式歯間清掃機器。
【請求項５】
前記チャネルが、３ミリメートル乃至１０ミリメートルの範囲内の直径を持つ、請求項１記載の空気駆動式歯間清掃機器。
【請求項６】
前記螺旋部材が、約２ミリメートル乃至約５ミリメートルの直径を持つ、請求項１記載の空気駆動式歯間清掃機器。
【請求項７】
前記空気のバーストの各々のボリュームが、０．５ミリリットル乃至０．２ミリリットルである、請求項１記載の空気駆動式歯間清掃機器。
【請求項８】
前記空気のバーストの速度が、５０メートル毎秒乃至１７０メートル毎秒である、請求項１記載の空気駆動式歯間清掃機器。
【請求項９】
運動量が、約０．００９キログラムメートル毎秒乃至約０．００５キログラムメートル毎秒である、請求項１記載の空気駆動式歯間清掃機器。
【請求項１０】
前記螺旋部材を通じて長手方向に延在するチャネル開口を含み、前記毛のセットが、前記出口開口を囲む、請求項１記載の空気駆動式歯間清掃機器。
【請求項１１】
前記液体が、水、又は、水以外の液体である、請求項１記載の空気駆動式歯間清掃機器。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
モバイルデバイスを介して少なくとも1つの身体機能測定値を得るための方法であって、
前記モバイルデバイスの本体に物理的に結合される複数のセンサを介して、ユーザアクションに応答して血液量を示す第1の測定値を得るステップと、
前記複数のセンサを介して、ユーザアクションに応答して心臓の電気的活動を示す第2の測定値を得るステップと、
前記モバイルデバイスのプロセッサを介して、前記第1の測定値および前記第2の測定値に基づいて血圧測定値の生成を支援するステップであって、前記プロセッサは、前記モバイルデバイスの前記本体内に収容され、前記本体はユーザが持ち運ぶことができるようなサイズに構成され、前記センサのうちの少なくとも1つは前記モバイルデバイスの多機能表面に結合され、前記多機能表面は、前記多機能表面上の場所においてユーザ接触を受信し、前記場所におけるユーザ接触に基づいて、前記第1の測定値、前記第2の測定値、ユーザ入力、またはその任意の組合せを同時に得るように構成される、支援するステップとを含む、モバイルデバイスを介して少なくとも1つの身体機能測定値を得るための方法。
【請求項２】
前記モバイルデバイスは、主要機能および補助機能を実行するように構成され、前記支援するステップは、前記モバイルデバイスの前記補助機能として実行される、請求項1に記載の方法。
【請求項３】
血液量を示す前記第1の測定値は、光電式容積脈波記録法(PPG)測定値を含む、請求項1に記載の方法。
【請求項４】
心臓の電気的活動を示す前記第2の測定値は、心電図記録法(ECG)測定値を含む、請求項1に記載の方法。
【請求項５】
前記複数のセンサは少なくとも1つの光センサを備え、前記モバイルデバイスは少なくとも1つの光源を備え、血液量を示す前記第1の測定値を得るステップは、前記少なくとも1つの光センサを介して、前記モバイルデバイスのユーザ内の血管から反射された前記光源からの反射光を測定し、前記第1の測定値を得るステップを含む、請求項1に記載の方法。
【請求項６】
前記複数のセンサは少なくとも第1の電極および第2の電極を備え、心臓の電気的活動を示す前記第2の測定値を得るステップは、前記ユーザの身体の部分を介して前記第1の電極と前記第2の電極との間の回路の完成を検出するステップを含む、請求項1に記載の方法。
【請求項７】
前記モバイルデバイスは、腕時計である、請求項1に記載の方法。
【請求項８】
前記モバイルデバイスは、スマートフォンデバイスである、請求項1に記載の方法。
【請求項９】
少なくとも1つの身体機能測定値を得るための装置であって、
モバイルデバイスの本体に物理的に結合される複数のセンサを介して、ユーザアクションに応答して血液量を示す第1の測定値を得るための手段と、
前記複数のセンサを介して、ユーザアクションに応答して心臓の電気的活動を示す第2の測定値を得るための手段と、
前記モバイルデバイスのプロセッサを介して、前記第1の測定値および前記第2の測定値に基づいて血圧測定値の生成を支援するための手段であって、前記プロセッサは、前記モバイルデバイスの前記本体内に収容され、前記本体はユーザが持ち運ぶことができるようなサイズに構成され、前記センサのうちの少なくとも1つは前記モバイルデバイスの多機能表面に結合され、前記多機能表面は、前記多機能表面上の場所においてユーザ接触を受信し、前記場所におけるユーザ接触に基づいて、前記第1の測定値、前記第2の測定値、ユーザ入力、またはその任意の組合せを同時に得るように構成される、支援するための手段とを備える、少なくとも1つの身体機能測定値を得るための装置。
【請求項１０】
前記モバイルデバイスは、主要機能および補助機能を実行するように構成され、前記支援するステップは、前記モバイルデバイスの前記補助機能として実行される、請求項9に記載の装置。
【請求項１１】
血液量を示す前記第1の測定値は光電式容積脈波記録法(PPG)測定値を含む、請求項9に記載の装置。
【請求項１２】
心臓の電気的活動を示す前記第2の測定値は心電図記録法(ECG)測定値を含む、請求項9に記載の装置。
【請求項１３】
前記複数のセンサは少なくとも1つの光センサを備え、前記モバイルデバイスは少なくとも1つの光源を備え、血液量を示す前記第1の測定値を得るための前記手段は、前記少なくとも1つの光センサを介して、前記モバイルデバイスのユーザ内の血管から反射された前記光源からの反射光を測定し、前記第1の測定値を得るための手段を備える、請求項9に記載の装置。
【請求項１４】
前記複数のセンサは少なくとも第1の電極および第2の電極を備え、心臓の電気的活動を示す前記第2の測定値を得るための前記手段は、前記ユーザの身体の部分を介して前記第1の電極と前記第2の電極との間の回路の完成を検出するための手段を備える、請求項9に記載の装置。
【請求項１５】
平面オブジェクトの表現を構築するためのコンピュータ実行可能命令を記憶する1つまたは複数のコンピュータ可読記憶媒体であって、前記命令は、実行されると、モバイルデバイス内に収容される1つまたは複数のコンピューティングデバイスに、請求項1から8のいずれか一項に記載の方法を実行させる、1つまたは複数のコンピュータ可読記憶媒体。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
患者の脊柱を矯正するために設計された脊椎骨接合術器具のためのロッドの湾曲を製造する方法であって：
頸椎から大腿骨頭へ延在する、患者の脊柱の矢状術前Ｘ線写真を分析する工程であって、前記Ｘ線写真において仙骨の第１椎骨の平面の中心点、仙骨の第２椎骨の中心点、第１２胸椎の下側平面の中心点、第７頸椎の下側平面の中心点を特定することにより前記矢状術前Ｘ線写真が分析される工程；
前記第１椎骨の平面の中心点を始点とする第一曲線線分を前記Ｘ線写真上に描写する工程であって、前記第一曲線線分は、前記第２椎骨の中心点から前記第１椎骨の平面の中心点に向かう部分に接し、部分Ｌ５−Ｌ１の椎骨本体の中心点を通過し、前記第１２胸椎の下側平面の中心点を終点とする工程；
前記第１２胸椎の下側平面の中心点において第１曲線線分に接し、前記第１２胸椎及び前記第７頸椎の間に延在する部分の椎骨本体の中心点を通過し、前記第７頸椎の下側平面の中心点に向かう第２曲線線分を、前記Ｘ線写真上に描写する工程；
前記Ｘ線写真において、前記脊柱に施すべき１つ以上の矯正を特定する工程；
前記脊柱に施すべき前記１つ以上の矯正が明らかになる様に、施すべき前記１つ以上の矯正に少なくとも部分的に基づき、前記Ｘ線写真の１つ以上の部分を、前記Ｘ線写真の１つ以上の他の部分に対して、回転させる工程；
前記１つ以上の矯正に基づき、前記第１及び第２の曲線線分を再計算し、前記Ｘ線写真上に、前記再計算された第１及び第２の曲線線分を描写する工程；
移植すべき脊椎ロッドの長さに相当する、矯正すべき脊椎部分の長さを決定する工程；
前記脊椎部分の椎骨毎に：
前記椎骨本体の中心点から前記椎骨の椎弓根内の椎弓根スクリューの受入面までの距離を、前記Ｘ線写真から決定する工程；または、患者の年齢、性別、サイズに基づく、患者のタイプ別に、前記距離の椎骨毎の平均値を含む、事前に統計的に構築されたデータバンクから前記距離を得る工程；
前記Ｘ線写真上において、前記矯正すべき脊椎部分上に延在する前記再計算された第１及び第２の曲線線分を、各椎骨毎に前記距離上において移動し、移動後の位置における前記脊椎部分の湾曲を決定する工程；
前記移動後の位置における前記脊椎部分の前記湾曲の形状に少なくとも部分的に基づいて、真っすぐな脊椎ロッドから前記ロッドの湾曲を製造するための指示データを生成する工程であって、生成された前記指示データが、前記ロッドを製造するための製造装置により使用されるよう構成される工程
の各工程を含むことを特徴とする方法。
【請求項２】
患者の脊柱の前部のＸ線写真において、前頭面にて湾曲する脊柱の１つ以上の部分を特定することにより、前記患者の脊柱の前部のＸ線写真を分析し、前記前頭面にて湾曲する１つ以上の部分毎に、前記部分の始点である、椎骨上の第１の基準点、及び前記部分の終点である、椎骨上の第２の基準点を定義する工程；
前記第１及び第２の基準点の間に延在する部分の長さを、前記前頭面にて湾曲する１つ以上の部分毎に測定する工程；
前記矢状Ｘ線写真において、前記一つ以上の部分毎に前記第１及び第２の基準点を特定し、前記矢状Ｘ線写真における第１の対応点及び第２の対応点を特定する工程；
前記矢状Ｘ線写真において、前記第１の対応点及び前記第２の対応点の間に延在する部分を相似伸張し、前記前部のX線写真における前記第１の基準点及び前記第２の基準点との間の長さと実質的に同一である長さにすることにより、前記矢状X線写真において再調整された第一の曲線線分及び再調整された第２の曲線線分を得る工程
を更に含む、請求項１に記載の方法。
【請求項３】
前記脊柱に施すべき１つ以上の矯正を特定することが、矯正された腰椎湾曲を得るために１つ以上の腰椎の１つ以上の平板上で施すべき１つ以上の後部骨切り術を特定することを含む、請求項１または２に記載の方法。
【請求項４】
前記１つ以上の後部骨切り術がＬ４の上側平面またはＬ５の上側平面のうちの一つ以上において施される、請求項３に記載の方法。
【請求項５】
前記脊柱に施すべき１つ以上の矯正を特定することが、矯正された腰椎湾曲を得るために腰椎の１つ以上の椎間腔に挿入されるべき１つ以上の移植脊椎の形状を決定することを含む、請求項１または２に記載の方法。
【請求項６】
決定された前記１つ以上の移植脊椎の形状が、前記１つ以上の移植脊椎のくさび形状の角部分を含む、請求項５に記載の方法。
【請求項７】
前記ロッドを製造するよう構成される製造装置に指示データを送る工程を更に含む、請求項１〜６のうち何れか一項に記載の方法。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
凍結保存剤及び約５０〜２００μＭの範囲の濃度のアロプリノールを含む組成物において、凍結保存されたアッセイ即応真核細胞。
【請求項２】
前記組成物におけるアロプリノールの濃度が、約７５〜１５０μＭの範囲にある、請求項１に記載のアッセイ即応凍結真核細胞。
【請求項３】
前記組成物におけるアロプリノールの濃度が、約１００μＭである、請求項１に記載のアッセイ即応凍結真核細胞。
【請求項４】
前記凍結保存剤がジメチルスルホキシド（ＤＭＳＯ）である、請求項１から３までのいずれか一項に記載のアッセイ即応凍結真核細胞。
【請求項５】
前記組成物におけるＤＭＳＯの量が約１０％である、請求項４に記載のアッセイ即応凍結真核細胞。
【請求項６】
前記凍結保存剤がグリセロールである、請求項１から３までのいずれか一項に記載のアッセイ即応凍結真核細胞。
【請求項７】
前記凍結保存剤が、約２．５％のジメチルスルホキシド（ＤＭＳＯ）と約１０％のグリセロールの組み合わせである、請求項１から３までのいずれか一項に記載のアッセイ即応凍結真核細胞。
【請求項８】
前記組成物が、ウシ胎児血清（ＦＢＳ）を更に含む、請求項１から７までのいずれか一項に記載のアッセイ即応凍結真核細胞。
【請求項９】
前記組成物におけるＦＢＳの量が約４０％である、請求項８に記載のアッセイ即応凍結真核細胞。
【請求項１０】
前記組成物が、活性酸素種のスカベンジャーを更に含む、請求項１から９までのいずれか一項に記載のアッセイ即応凍結真核細胞。
【請求項１１】
前記活性酸素種のスカベンジャーが、Ｎ−アセチルシステイン（ＮＡＣ）、又はグルタチオンＳＨ（ＧＳＨ）である、請求項１０に記載のアッセイ即応凍結真核細胞。
【請求項１２】
前記ＮＡＣの濃度が約１ｍＭ〜１０ｍＭの範囲にある、請求項１１に記載のアッセイ即応凍結真核細胞。
【請求項１３】
前記ＮＡＣの濃度が約５ｍＭである、請求項１１に記載のアッセイ即応凍結真核細胞。
【請求項１４】
前記ＧＳＨの濃度が約１ｍＭである、請求項１１に記載のアッセイ即応凍結真核細胞。
【請求項１５】
前記キサンチン酸化酵素の阻害剤が、約１００μＭの濃度のアロプリノールであり、前記組成物が、約４０％のＦＢＳを更に含み、ＮＡＣの濃度が、約２．５ｍＭ〜５ｍＭの範囲にある、請求項１から１４までのいずれか一項に記載のアッセイ即応凍結真核細胞。
【請求項１６】
細胞外シグナルに応答する細胞表面タンパク質のシグナル伝達活性により制御される、１つ又は複数の転写制御エレメントに作動可能に結合した、レポーター遺伝子産物をコードするヌクレオチド配列を含むレポーター遺伝子コンストラクトを含有する、請求項１から１５までのいずれか一項に記載のアッセイ即応凍結真核細胞。
【請求項１７】
前記細胞が、保存のため凍結されるのに先立ち、抗有糸分裂剤又はアポトーシス促進剤で処理された、請求項１から１６までのいずれか一項に記載のアッセイ即応凍結真核細胞。
【請求項１８】
前記真核細胞が、哺乳類細胞、トリ（好ましくは、ニワトリ）細胞、魚（好ましくは、ゼブラフィッシュ）細胞、昆虫細胞、及び酵母細胞からなる群より選択される、請求項１から１７までのいずれか一項に記載のアッセイ即応凍結真核細胞。
【請求項１９】
前記真核細胞がヒト細胞である、請求項１から１８までのいずれか一項に記載のアッセイ即応凍結真核細胞。
【請求項２０】
前記ヒト細胞が前単球細胞である、請求項１９に記載のアッセイ即応凍結真核細胞。
【請求項２１】
複数のウェルを有する試験器具、及び複数の、請求項１から２０までのいずれか一項に記載のアッセイ即応凍結真核細胞を含む試薬を含む、アッセイを行うためのキット。
【請求項２２】
前記試験器具がマイクロタイタープレートである、請求項２１記載のキット。
【請求項２３】
前記試薬が、前記試験器具のウェルに分配されている、請求項２１又は２２に記載のキット。
【請求項２４】
請求項１から２０までのいずれか一項に記載のアッセイ即応凍結真核細胞を調製する方法であって、
凍結保存剤及びキサンチン酸化酵素の阻害剤を含む組成物を、真核細胞に加えるステップ、及び
前記アッセイ即応真核細胞の凍結保存のため、約−８０℃まで１分間当たり約１℃の速度で細胞を冷却するステップを含み、これにより、アッセイにおいて、前記アッセイ即応細胞の解凍の際、性能を改善する、上記方法。
【請求項２５】
前記凍結保存剤及びキサンチン酸化酵素の阻害剤を含む組成物を、真核細胞に加えるステップに先立ち、前記真核細胞が、抗有糸分裂剤又はアポトーシス促進剤で処理され、次に、前記真核細胞が、抗有糸分裂剤又はアポトーシス促進剤との接触から取り除かれる、請求項２４に記載の方法。
【請求項２６】
前記抗有糸分裂剤又はアポトーシス促進剤がビンブラスチンである、請求項２５に記載の方法。
【請求項２７】
複数のアッセイ即応凍結真核細胞が、調製され、複数の個別のバイアル又は容器に凍結保存されており、アッセイにおいて、解凍の際、前記アッセイ即応凍結真核細胞の性能における個々のバイアル間又は容器間の変動性を最小にする、請求項２４から２６までのいずれか一項に記載の方法。